(57)【特許請求の範囲】
【請求項１】
情報を入力する入力部と、
磁気カードの磁気情報を読み取る磁気カードリーダと、
ＩＣカードのカード情報を読み取るＩＣカードスロット部と、
前記入力部に入力された前記情報と前記磁気カードリーダで読み取られた前記磁気情報、または前記ＩＣカードスロット部で読み取られた前記カード情報とを処理した結果である処理情報を表示する表示部と、
電源部とを備える携帯型端末装置であって、
前記磁気カードリーダと前記ＩＣカードスロット部とは、前記磁気カードリーダを上にして上下に重ねられた状態で配置され、
前記磁気カードリーダはこれを固定した取り付け部材を介して前記携帯型端末装置の筺体に取り付けられるとともに、該取り付け部材はＩＣカードスロット部の幅より大きい長さを有し、前記筺体への前記取り付け部材の取り付け部がＩＣカードスロット部の左右外方のいずれかに配置されている
ことを特徴とする携帯型端末装置。
【請求項２】
前記筐体の手前側または奥側の一方の端部に前記磁気カードリーダと前記ＩＣカードスロット部とが配置される
ことを特徴とする請求項１に記載の携帯型端末装置。
【請求項３】
前記磁気カードリーダは磁気カードを挿入する溝が前記筐体の上面に右側部から左側部に達するように配置され、前記ＩＣカードスロット部はＩＣカード挿入口を前記筐体の端面に有しつつ前記溝と直行する方向に配置される
ことを特徴とする請求項１または請求項２に記載の携帯型端末装置。
【請求項４】
前記取り付け部材の一部は金属部材からなり、この一部が前記磁気カードリーダの磁気ヘッドと前記筺体との間に配置される
ことを特徴とする請求項１〜３のいずれかに記載の携帯型端末装置。
【請求項５】
前記磁気カードリーダの磁気ヘッドと前記筺体との間にシールド部材が設けられている
ことを特徴とする請求項１〜３のいずれかに記載の携帯型端末装置。
【請求項６】
前記磁気カードリーダとは反対側の前記筐体の端部に前記処理情報を印字するプリンタ部が備えられる
ことを特徴とする請求項１〜５のいずれかに記載の携帯型端末装置。
【発明の詳細な説明】
【技術分野】
【０００１】
本発明は、クレジットカードやデビットカードなどの磁気カードまたはＩＣカードにより決済等を行う携帯型端末装置に関する。
【背景技術】
【０００２】
クレジットカードなどで決済等を行う携帯型端末装置として、磁気カードを装置の上面から差し込むことができる磁気カードリーダと、ＩＣカードを挿入するＩＣカードスロット部とが設けられたものがある。この種の装置は、携帯して使用する装置である以上、小型のものであることが不可避であるとともに、使用者が片手で把持して使用することを考えると操作性に優れるものであることが要求される。
しかし従来は、ＩＣカードスロット部を側面に配置し、このＩＣカードスロット部と離して磁気カードリーダを右側面に配置し、かつ、ＩＣカード挿入口を側面に開口していた。また、磁気カードリーダとＩＣカードスロット部とを離れた位置に平面的に配置しているため、磁気カードリーダとＩＣカードスロット部それぞれの搭載スペースを必要としていた。このため、操作性に対する要求と小型化に対する要求とを十分には満足していなかった（特許文献１参照）。
【特許文献１】特開２００１−２０９８４５号公報
【発明の開示】
【発明が解決しようとする課題】
【０００３】
本発明では、磁気カードリーダとＩＣカードスロット部とを良好な操作性を有するように配置した、小型の携帯型端末装置を提供することを目的とする。
【課題を解決するための手段】
【０００４】
上記課題を解決するために本発明は以下の手段を提供している。
本発明に係る携帯型端末装置は、情報を入力する入力部と、磁気カードの磁気情報を読み取る磁気カードリーダと、ＩＣカードのカード情報を読み取るＩＣカードスロット部と、前記入力部に入力された前記情報と前記磁気カードリーダで読み取られた前記磁気情報、または前記ＩＣカードスロット部で読み取られた前記カード情報とを処理した結果である処理情報を表示する表示部と、電源部とを備える携帯型端末装置であって、前記磁気カードリーダと前記ＩＣカードスロット部とを、前記磁気カードリーダを上にして上下に重ねられた状態で配置することを特徴とする。
【０００５】
携帯型端末装置の磁気カードリーダとＩＣカードスロット部とを上下に重ねられた状態で配置することによって、これら磁気カードリーダとＩＣカードスロット部との搭載に必要なスペースを削減して小型化を図ることができる。また、ＩＣカードスロット部と磁気カードリーダとが近くに配置されるので携帯型端末装置の操作性を向上することができる。ここで、磁気カードを装置の上面から差し込むことができるように磁気カードリーダはＩＣカードスロット部の上に配置される。
【０００６】
また、本発明に係る携帯端末装置は、筐体の手前側または奥側の一方の端部に前記磁気カードリーダと前記ＩＣカードスロット部とが配置されることを特徴とする。
【０００７】
磁気カードリーダと前記ＩＣカードスロット部とが、操作者が把持する筺体の中央側部に配置されるよりも手前側または奥側の一方の端部に配置される方が、携帯端末装置の操作性は良好である。
【０００８】
また、本発明に係る携帯型端末装置においては、前記磁気カードリーダは、磁気カードを挿入する溝が前記筐体の上面に右側部から左側部に達するように配置され、前記ＩＣカードスロット部はＩＣカード挿入口を端面に有しつつ前記溝と直行する方向に配置されることを特徴とする。
【０００９】
磁気カードを挿入する溝が筐体の右側部から左側部に達するように磁気カードリーダを配置すると、磁気カードを溝に沿って左右に引くだけで読み取り操作することができ、また、ＩＣカード挿入口を筐体の手前側端部または奥側端部に配置すると、携帯型端末装置の側部を手で把持したままでＩＣカードの挿入操作をすることができ、ＩＣカード挿入口を筐体の側部に配置する場合より良好な操作性を携帯型端末装置に持たせることができる。すなわち、ＩＣカード挿入口を筐体の側部に配置すると操作する場合に把持位置を変える必要がある。
【００１０】
さらに、本発明に係る携帯型端末装置において、前記磁気カードリーダはこれを固定した取り付け部材を介して筺体に取り付けられるとともに、該取り付け部材はＩＣカードスロット部の幅より大きい長さを有し、筺体への取付け部がＩＣカードスロット部の左右外方のいずれかに配置されていることを特徴とする。
【００１１】
磁気カードリーダを筺体に取り付ける場合には、磁気カードリーダを取付け部材に固定し、この取り付け部材を磁気カードリーダがＩＣカードスロット部の上になるように筺体に取り付ける。この取付け部材の筺体への取付け部をＩＣカードスロット部の左右外方のいずれかにすると、ＩＣカードのＩＣカードスロットへの挿入を妨害しない状態で磁気カードリーダを筺体に取り付けることができる。
【００１２】
また、本発明に係る携帯型端末装置において、前記取り付け部材の一部は金属部材からなり、この一部が前記磁気カードリーダの磁気ヘッドと筺体との間に配置されることを特徴とする。
【００１３】
金属部材をシールド部材として筐体と磁気カードリーダとの間に備えることによって、磁気データを読み取るための導線を外部から携帯型端末装置の磁気カードリーダの磁気ヘッド部に接触させることができなくなり、スキミング行為を防止できる。このシールド部材を取付け部材に設けておくことにより、筺体への磁気カードリーダの取付けと同時にシールド部材を配置することができ、シールド部材だけを取り付ける工程を一工程省略することができる。
【００１４】
また、本発明に係る携帯型端末装置では、シールド部材は取り付け部材に設けずに、取り付け部材とは別に筐体と磁気カードリーダとの間に取り付けることも可能である。
【００１５】
さらに、本発明に係る携帯型端末装置において、手前側または奥側に配置された磁気カードリーダとＩＣカードスロット部との逆側にプリンタ部を配置する構成とすることによってさらに良好な操作性を携帯型端末装置に持たせることができる。
【発明の効果】
【００１６】
本発明によれば、磁気カードリーダとＩＣカードスロット部との配置を、磁気カードリーダを上にした上下配置とすることによって、小型化された、かつ良好な操作性を有する携帯型端末装置を提供できる。
【発明を実施するための最良の形態】
【００１７】
本発明に係る携帯型端末装置の一実施形態である携帯型決済端末装置を図に基づいて説明する。
図１は携帯型決済端末装置の全体を示す斜視図であり、図２は図１中のＡ−Ａ‘における矢視図を示し、図３は図２中に破線で囲んだ部分の拡大図を示し、図４は図１中のＢ−Ｂ’における矢視図を示している。また、図５は磁気カードリーダ部の組み立て斜視図であり、図６および図７はそれぞれ磁気カードリーダと取付け部材との平面図を示す。さらに、図８は磁気カードリーダ部と筐体との組み立て斜視図である。
【００１８】
本実施形態の携帯型決済端末装置１は図１に示すように、全体としては縦長の直方体状に形成され、中央やや手前側上面に情報を手入力するためのキー５を備えた入力部６と、この入力部６の奥方向に隣接する表示パネル７を備えた表示部２４と、前記入力部６の手前に磁気カードを挿入する溝８を有する磁気カードリーダ２１と、手前端面下部に開けられたＩＣカード挿入口１１を有するＩＣカードスロット部２３と、奥端部に配置されたプリンタ部９と、右側面に設けられた電池パック１２とを備えている。これらは上ケース２と下ケース３とペーパーカバー４とから構成される筐体に納められており、上ケース２はキー５と、表示パネル７と、磁気カードを挿入する溝８とを有し、プリンタ部９を除く手前側の上半分を覆っている。下ケース３はＩＣカード挿入口１１と、電池パック１２とを有し、プリンタ部９を含めて下半分を覆っている。ペーパーカバー４はプリンタ部９の上方を覆っており、上ケース２との間にプリンタ部９からロール紙を導出する隙間１０を形成している。
【００１９】
この筺体の内部には、図２に示すように、入力部６の裏側であって厚み方向の中央部に演算処理部２２が設けられ、この演算処理部２２と磁気カードリーダ２１との下方に配置されるようにＩＣカードスロット部２３が形成されている。また、プリンタ部２８にはプリンタヘッド２５とプラテンローラー２６とロール紙２７とが備えられており、これらの裏側に通信カードスロット部２９が設けられている。通信カードスロット部２９には、通信カード４１をスムーズに挿入するための挿入ガイド４２と、携帯型決済端末装置１の端部から内部に向かってプリンタ部２８の下部に配置された通信カードスロット４３と、表示部２４の下部に配置され、通信カード４１が通信カード接続接点部４４で接続される通信カード接続コネクタ部４５とが備えられている。
【００２０】
磁気カードリーダ２１とＩＣカードスロット部２３とを図３および図５〜図８を用いてさらに説明する。
磁気カードリーダ２１は、図5および図６に示すように、ベース５２上に２枚の板状部材５３を、これらの間に磁気カードを挿入する溝８を有するように組み合わせて形成される。磁気カードリーダ２１を構成する２枚の板状部材５３には、板状部材５３の背面に磁気ヘッドを組み込むための磁気ヘッド収納部３１が、互いに溝８の長さ方向に少しずれた位置に配置されるように形成されている。また、これら２枚の板状部材５３の左右端部は溝8を広げるように湾曲されて、溝８に磁気カードをスムーズに出し入れできるためのガイドを形成している。さらに、磁気カードリーダ２１の下部のベース５２には、この磁気カードリーダ２１を後述の取付け部材３３に固定するために用いられる位置決め穴５４が対角位置に設けられ、この対角位置とは反対の他の対角位置には取付け部材固定穴５５が設けられている。
【００２１】
この磁気カードリーダ２１が取り付けられる取付け部材３３は、図5および図7に示すように長方形の金属製板状部材５６で形成されており、この金属性板状部材５６の一の長辺の中央部にほぼ正方形の出っ張り部分を有し、この正方形の出っ張り部分が長方形の長辺にあたる部分で上方に曲折されスキミングを防止するためのシールド部材３４とされている。また、金属性板状部材５６の長辺方向の左右端にはねじ穴の開けられた取付け部５７が設けられ、金属性板状部材５６の左右端部には前記磁気カードリーダ２１に設けられた位置決め穴５４に対応する位置決めピン５８が長方形の一の対角位置に設けられ、他の対角位置には前記磁気カードリーダ２１に設けられた取付け部材固定穴５５に対応する磁気カードリーダ固定穴５９が設けられている。
【００２２】
これら磁気カードリーダ２１と取付け部材３３とは、位置決め穴５４と位置決めピン５８とを嵌合させて位置決めされた後、取付け部材固定穴５５と磁気カードリーダ固定穴５９とを用いてねじ止めされることによって固着されている。この磁気カードリーダ２１を取り付けられた取付け部材３３は、図8に示すように、下ケース３の下面から少し高い手前端部側壁に設けられた筺体取り付け部材固定穴６０に取付け部５７をねじ止めされることによって下ケースに固着される。このように磁気カードリーダ２１を配置することによって、磁気カードリーダ２１の下部にはＩＣカードスロット部２３を配置するスペースを作ることができる。
【００２３】
一方、ＩＣカードスロット部２３は、図３に示すように、ＩＣカードをスムーズに挿入できるように先の開いたガイド形状とされた開口部であるＩＣカード挿入口１１と、このＩＣカード挿入口１１から携帯型決済端末装置１の内部に向かって磁気カードリーダ２１と演算処理部２２との下部に配置されたＩＣカードスロット３５と、演算処理部２２の下部に配置され、このＩＣカードスロット３５の先端部を囲むように取り付けられたＩＣカードコネクタ３６とから構成され、このＩＣカードコネクタ３６と演算処理部２２との間がプリント配線板３７によって接続されている。このＩＣカードスロット部２３を磁気カードリーダ２１の下部に作られたスペースに配置すると、図４に示すように、ＩＣカード挿入口１１を携帯型決済端末装置１の手前端面に有しつつ、磁気カードリーダ２１とＩＣカードスロット部２３とを手前端部に上下に重ねられた状態で配置することができる。
【００２４】
取付け部材３３を介して磁気カードリーダ２１を筺体に固定する本実施形態では、図４に示すように、取付け部材３３の取付け部５７と下ケース３の筺体取付け部材固定穴６０とをねじ止めしている2箇所のねじはそれぞれＩＣカードスロット部２３の左右外方に位置しているので、ＩＣカードをＩＣカード挿入口１１からＩＣカードスロット部２３へ挿入する際の邪魔にはならないようになっている。これに対して磁気カードリーダ２１を取付け部材３３を介しないで直接筺体にねじ止めなどによって固定しようとする場合を考えてみると、磁気カードリーダ２１の長さがＩＣカードスロット部の幅とほぼ同じであるために、磁気カードリーダ２１を筺体に固定する位置を下部に設けられるＩＣカードスロット部２３に重なるような位置にせざるを得なくなり、ＩＣカードのＩＣカードスロット部２３への挿入を妨げてしまう。
【００２５】
この携帯型決済端末装置１でデビットカードによる販売代金の決済を行う場合、販売員は携帯型決済端末装置１の下面と両側面との一部を把持した状態でキー５を操作して入力部６に金額を入力する。この入力された金額は表示パネル７に表示され、顧客はこの表示された金額を確認する。表示された金額が確認されると、販売員はデビットカードを溝８に沿って引くことによってデビットカードのカード情報を磁気カードリーダ２１に読み取らせる。このとき、溝８が携帯型決済端末装置１の手前端部に左側面から右側面に達するように磁気カードリーダ２１が配置されているので、販売員は携帯型決済端末装置１を把持している位置を変えないで磁気カードを操作することができる。そして、このカード情報が演算処理部２２の記憶素子に記憶されると顧客は入力部６から暗証番号を入力する。この暗証番号と記憶素子に記憶されたカード情報とが演算処理部２２で照らし合わされて、暗証番号とカード情報とが一致した場合には入力された金額情報が通信カードスロット４３に挿入された通信カード４１によって送信されてオンライン処理されることにより、顧客の預金口座から販売店の口座へ販売代金が振り込まれる。また、通信カード４１によって送信された情報はプリンタ部２８でプリントアウトされ販売員から顧客に手渡される。このときも、販売員は下面と両側面とを把持した状態でプリンタ部を操作する。すなわち販売員は、携帯型決済端末装置１を用いた決済に必要な操作を、同じ把持位置で携帯型決済端末装置１を把持した状態で行うことができる。
【００２６】
クレジットカードで決済を行う場合の携帯型決済端末装置１の操作はデビットカードの場合とほぼ同様であるが、顧客による暗証番号の入力と通信カード４１を用いた情報の送信とは行われず、顧客はプリントアウトにサインを行うことによって販売代金を顧客の預金口座から販売店の口座へ振り込むことを了承する。
【００２７】
ＩＣカードで決済を行う場合には、カードを溝8に沿って引くのではなくＩＣカードをＩＣカード挿入口１１に挿入する。するとＩＣカードに設けられたＩＣチップがＩＣカードコネクタ３６に接触しカード情報が読み取られる。このとき、ＩＣカード挿入口１１は携帯型決済端末装置１の手前端下部にあるので、販売員は下面と両側面とを把持した状態でＩＣカードを操作できる。つまり、販売員はＩＣカードで決済をする場合でも、デビッドカードやクレジットカードで決済する場合と同じ把持位置で携帯型決済端末装置１を把持したままで決済に必要なすべての操作を行うことができる。
【００２８】
さらに、本実施形態の携帯型決済端末装置１では磁気カードリーダ２１とＩＣカードスロット部２３とを上下に重ねて立体的に配置しているため、磁気カードリーダ２１とＩＣカードスロット部２３とを平面的に配置する場合に比べ、搭載に必要なスペースを小さくすることができる。
さらに、シールド部材３４が取付け部材３３に設けられているので、下ケース３に磁気カードリーダ２１を取り付けるのと同時にシールド部材３４を携帯型決済端末装置１に組み込むことができる。
【００２９】
このように、本実施形態の携帯型決済端末装置１では、磁気カードリーダ２１とＩＣカードスロット部２３とを、溝８が左側面から右側面に達する状態で、また、ＩＣカード挿入口１１が手前端下部に開口された状態で、上下に重ねて手前端部に配置することによって、操作者は磁気カードとＩＣカードとを近い位置で操作でき、決済に必要な操作を行う際にいちいち携帯型決済端末装置１の把持位置を変える必要も無く、操作性が向上している。
【００３０】
また、本実施形態の携帯型決済端末装置１では、磁気カードリーダ２１とＩＣカードスロット部２３とを上下に重ねた立体的配置として搭載スペースを小さくすることができるため、携帯型決済端末装置１の大きさを従来の３分の２程度にまで小型化することができる。
【００３１】
さらに、本実施形態の携帯型決済端末装置１では、携帯型決済端末装置１の組立工程で磁気カードリーダ２１を筺体に取り付けるときに、同時に取付け部材３３の一部をシールド部材３４として携帯型決済端末装置１の筺体と磁気ヘッド収納部３１との間に組み込むことができるので、磁気カードリーダ２１へのスキミング行為を防止することもできる。
【００３２】
なお、本実施形態では磁気カードリーダ２１とＩＣカードスロット部２３とを、上下に重ねた状態で磁気カードリーダ２１の溝８が携帯型決済端末装置１の左側面から右側面に達するように配置され、かつ、前記ＩＣカードスロット部２３はＩＣカード挿入口１１を手前端面に有しつつ前記溝８と直行する方向に配置されているが、磁気カードリーダ２１とＩＣカードスロット部２３とが上下に重なった状態であれば側面や奥端面に配置しても良い。
また、本実施形態ではシールド部材３４は取付け部材３３と一体となっているが、シールド部材３４を独立した一部品としても良い。
【００３３】
さらに、本実施形態では通信カードスロット４３に通信カード４１が挿入された状態を示したが、通信カード４１はオンライン使用時に通信カードスロット４３に挿入して使用されるので、通信カード４１を通信カードスロット４３に挿入しない状態でオフライン処理を行っても良い。
【図面の簡単な説明】
【００３４】
【図１】図１は本発明に係る携帯型決済端末装置の全体を示す斜視図である。
【図２】図２は、図１中Ａ−Ａ`における矢視図である。
【図３】図3は、図２中に二点鎖線で囲んだ部分の拡大図である。
【図４】図４は、図２中Ｂ−Ｂ`における矢視図である。
【図５】図５は、磁気カードリーダ部の組み立て斜視図。
【図６】図６は、磁気カードリーダの平面図。
【図７】図７は、取付け部材の平面図。
【図８】図８は、磁気カードリーダ部と筐体との組み立て斜視図。
【符号の説明】
【００３５】
１・・・携帯型決済端末装置、２・・・上ケース、３・・・下ケース、
４・・・ペーパーカバー、５・・・キー、６・・・入力部、７・・・表示パネル、
８・・・溝、９・・・プリンタ部、１０・・・隙間、１１・・・ＩＣカード挿入口、
１２・・・電池パック（電源部）
２１・・・磁気カードリーダ、２２・・・演算処理部、
２３・・・ＩＣカードスロット部、２４・・・表示部、２５・・・プリンタヘッド、
２６・・・プラテンローラ、２７・・・ロール紙、２８・・・プリンタ部、
２９・・・通信カードスロット部、
３１・・・磁気ヘッド収納部、３３・・・取付け部材、３４・・・シールド部材、
３５・・・ＩＣカードスロット、３６・・・ＩＣカードコネクタ、
３７・・・プリント配線板
４１・・・通信カード、４２・・・通信カード挿入ガイド、
４３・・・通信カードスロット、４４・・・通信カード接続接点部、
４５・・・通信カード接続コネクタ部
５２・・・ベース、５３・・・板状部材、５４・・・位置決め穴、
５５・・・取付け部材固定穴、５６・・・金属製板状部材、５７・・・取付け部、
５８・・・位置決めピン、５９・・・磁気カードリーダ固定穴、
６０・・・筺体取付け部材固定穴
【図１】
0004836596.tif 000002
【図２】
0004836596.tif 000003
【図３】
0004836596.tif 000004
【図４】
0004836596.tif 000005
【図５】
0004836596.tif 000006
【図６】
0004836596.tif 000007
【図７】
0004836596.tif 000008
【図８】
0004836596.tif 000009